(57)【要約】【課題】赤外線を用いた線量計素子の検出では、線量計素子がＯＳＬ素子の場合、ＯＳＬ素子は赤外線を透過してしまうため常に受光素子が赤外線を検知し、線量計素子の有無を判定することができないという課題を有していた。【解決手段】本発明のＯＳＬ素子検知装置は、可視光を発する光源と、前記光源から発せられた可視光を受光する受光部と、ＯＳＬ素子を配設したプレートと、前記プレートを前記光源から前記受光部に発せられる可視光の光軸を横切る方向に移動する移動手段と、前記受光部が前記光源から発せられた可視光を受光した場合にはＯＳＬ素子が無いと判断し、受光しない場合にはＯＳＬ素子が有ると判断する判断部とを備えたものである。【選択図】  図１
2004205419.tif 000002
【特許請求の範囲】
【請求項１】
可視光を発する光源と、前記光源から発せられた可視光を受光する受光部と、ＯＳＬ素子を配設したプレートと、前記受光部が前記光源から発せられた可視光を受光した場合にはＯＳＬ素子が無いと判断し、受光しない場合にはＯＳＬ素子が有ると判断する判断部とを備えたＯＳＬ素子検知装置。
【請求項２】
可視光を発する光源と、前記光源から発せられた可視光を受光する受光部と、ＯＳＬ素子を配設したプレートと、前記プレートを前記光源から前記受光部に発せられる可視光の光軸を横切る方向に移動する移動手段と、前記受光部が前記光源から発せられた可視光を受光した場合にはＯＳＬ素子が無いと判断し、受光しない場合にはＯＳＬ素子が有ると判断する判断部とを備えたＯＳＬ素子検知装置。
【請求項３】
光源はＯＳＬ素子が光軸上に移動された後に可視光を発する請求項１または２記載のＯＳＬ素子検知装置。
【請求項４】
移動手段によりプレートに配設されるＯＳＬ素子の位置を光源から受光部に発せられる可視光の光軸上に移動するステップと、前記光源から可視光を発するステップと、前記光源から発せられた可視光を受光するステップと、前記受光部が前記光源から発せられた可視光を受光した場合には前記光軸上にＯＳＬ素子が無いと判断し、受光しない場合には前記光軸上にＯＳＬ素子が有ると判断するステップとからなるＯＳＬ素子の検知方法。
【発明の詳細な説明】
【０００１】
【発明の属する技術分野】
本発明は、原子力発電所、放射線利用施設及び加速器施設において使用される個人被ばく管理用線量計測定装置や環境測定用線量計測定装置等に関するものである。
【０００２】
【従来の技術】
近年、ＦＢ（フィルムバッジ）が環境問題で世界的に廃止される流れの中で、線量計素子としてＯＳＬ素子が採用されてきており、このＯＳＬ素子を用いた放射線測定装置の全体構成としては例えば特許文献１に掲載されている。
【０００３】
また、従来は、線量系素子としてＯＳＬ素子ではなくＴＬＤ素子を用いていた。以下に、このＴＬＤ素子を用いた放射線測定装置におけるＴＬＤ素子の有無を判定する方法について説明する。
【０００４】
図３は従来の放射線測定装置の素子検出部を説明するための線量計素子検出部の概略構成図である。
【０００５】
矢印ａの方向に移動する素子プレート５に配設されたＴＬＤ素子である線量計素子６に対して赤外線ＬＥＤ７により赤外線を照射する。この照射された赤外線は通常配設された線量計素子６によって遮断され受光素子８では検知されない。一方、線量計素子６が配設されていなかった場合は受光素子８によって検知される。これにより、線量計素子６の有無を判定する。
【０００６】
【特許文献１】
特表２０００−５０３３９６号公報
【０００７】
【発明が解決しようとする課題】
しかし、上記従来の赤外線を用いた線量計素子の検出では、線量計素子がＯＳＬ素子の場合、ＯＳＬ素子は赤外線を透過してしまうため常に受光素子が赤外線を検知し、線量計素子の有無を判定することができないという課題を有していた。
【０００８】
本発明は、線量計素子としてＯＳＬ素子を用いる放射線測定装置において、ＯＳＬ素子の有無を判定できる検知装置および検知方法を提供することを目的とする。
【０００９】
【課題を解決するための手段】
本発明のＯＳＬ素子検知装置は、可視光を発する光源と、前記光源から発せられた可視光を受光する受光部と、ＯＳＬ素子を配設したプレートと、前記受光部が前記光源から発せられた可視光を受光した場合にはＯＳＬ素子が無いと判断し、受光しない場合にはＯＳＬ素子が有ると判断する判断部とを備えたものである。
【００１０】
また、本発明のＯＳＬ素子検知装置は、可視光を発する光源と、前記光源から発せられた可視光を受光する受光部と、ＯＳＬ素子を配設したプレートと、前記プレートを前記光源から前記受光部に発せられる可視光の光軸を横切る方向に移動する移動手段と、前記受光部が前記光源から発せられた可視光を受光した場合にはＯＳＬ素子が無いと判断し、受光しない場合にはＯＳＬ素子が有ると判断する判断部とを備えたものである。
【００１１】
また、本発明のＯＳＬ素子検知装置は、前記ＯＳＬ素子検知装置において、光源はＯＳＬ素子が光軸上に移動された後に可視光を発するものである。
【００１２】
本発明のＯＳＬ素子検知方法は、移動手段によりプレートに配設されるＯＳＬ素子の位置を光源から受光部に発せられる可視光の光軸上に移動するステップと、前記光源から可視光を発するステップと、前記光源から発せられた可視光を受光するステップと、前記受光部が前記光源から発せられた可視光を受光した場合には前記光軸上にＯＳＬ素子が無いと判断し、受光しない場合には前記光軸上にＯＳＬ素子が有ると判断するステップとからなるものである。
【００１３】
【発明の実施の形態】
以下、本発明の実施の形態について、図１と図２を用いて説明する。
【００１４】
図１は本発明の実施の形態を示す放射線測定装置の素子検出部の概略構成図であり、図２はプレート駆動の概略構成図である。
【００１５】
ＯＳＬ素子である線量計素子２が配設された素子プレート１は、移動手段であるメカ駆動部９によって矢印ａの方向に移動されて素子プレート１が収容されているホルダ１０から引き出され、線量計素子２の有無を検出する素子有無検出位置に移動される。
【００１６】
この素子有無検出位置において、光源である赤色ＬＥＤ３は素子プレート１に配設された線量計素子２に対して可視光である赤色光を照射する。そして、線量計素子２がプレート１に異常なく配設されている場合は、赤色ＬＥＤ３から照射された赤色光は線量計素子２の表面で反射されるため受光部である受光素子４によって検知されない。これに対して、線量計素子２が素子プレート１に配置されていなかった場合は、赤色ＬＥＤ３から照射された赤色光は受光素子４によって検知される。
【００１７】
なお、線量計素子２の有無の判定は、受光素子４からの信号に基づき判定部（図示せず）により判定される。そして、このような判定を素子プレート１に配設されている図１に示す４個の線量計素子２のすべてについて行うことで、線量計素子２の破れや欠落などを検知することができる。
【００１８】
また、放射線測定装置を液晶画面などの表示装置やブザーなどの発音装置などを備えた構成とし、前記判定部による判定の結果を、表示装置に表示したり、発音装置などにより報知するようにしても良い。
【００１９】
また、光源から照射される可視光としては、放射線測定装置内に設けられ素子プレート１に設けられたバーコードや２次元コードなどを読み取るリーダーが発する可視光を用いても良い。
【００２０】
また、光源は、赤色の光を照射するものに限定されるものではなく、可視光を照射するものであれば良い。
【００２１】
なお、光源から照射される光を可視光とした理由は、種々の検討やＯＳＬ素子の表面色は白色であり可視光であれば透過率が低いという着想に基づくものである。
【００２２】
【発明の効果】
以上の説明から明らかなように、本発明によれば、線量計素子としてＯＳＬ素子を用いた放射線測定装置において、可視光を発する光源とその光を受光する受光部を備えることで、線量計素子の有無を検出することができる。
【図面の簡単な説明】
【図１】本発明の実施の形態における線量計素子検出部の概略構成図
【図２】本発明の実施の形態におけるプレート駆動の概略構成図
【図３】従来の線量計素子検出部の概略構成図
【符号の説明】
１  素子プレート
２  線量計素子
３  赤色ＬＥＤ
４  受光素子
５  素子プレート
６  線量計素子
７  赤外線ＬＥＤ
８  受光素子
９  メカ駆動部
１０  ホルダ
【図１】
2004205419.tif 000003
【図２】
2004205419.tif 000004
【図３】
2004205419.tif 000005